(57)【要約】  本発明は、家具本体３１上の給電コンポーネント３３と、家具本体に対して移動可能な家具部分５、特に引出しに配置されたピックアップコンポーネント３２との間で電気エネルギーを伝送するための装置に関し、給電コンポーネントは、電気エネルギーを伝送するために可動家具部分の閉鎖位置でピックアップコンポーネントの電気機械接点セット１６、１７に接続されうる電気機械接点セット２３、２４を有し、ａ．給電コンポーネントは、電気制御回路３６に接続された位置検出ユニット２５、３４と電気制御回路によって制御されうる電磁石１４、２２とを備え、ｂ．ピックアップコンポーネントは磁化可能要素３５を備え、電磁石と磁化可能要素とは可動家具部分の閉鎖位置で互いに対向して位置し、その結果、接点セット１６、１７、２３、２４は制御回路により電磁石１４、２２を励磁することによって互いに接触できる。【選択図】図４
2012528615.tif 000002
【特許請求の範囲】
【請求項１】
家具本体（３１）に配置された給電コンポーネント（３３）と、前記家具本体（３１）に対して移動可能な家具部分（５）、特に前記家具本体（３１）に対して変位可能な引出しに配置されたピックアップコンポーネント（３２）との間で電気エネルギーを伝送するための装置であって、
前記給電コンポーネント（３３）が、電気エネルギーを伝送するために前記可動家具部分の閉鎖位置で前記ピックアップコンポーネント（３２）の電気機械的な接点セット（１６、１７）に接続されうる電気機械的な接点セット（２３、２４）を有する装置において、
ａ）前記給電コンポーネント（３３）が、電気制御回路（３６）に接続された位置検出装置（２５、３４）と、前記電気制御回路（３６）によって制御可能な電磁石（１４、２２）とを備えること、および
ｂ）前記ピックアップコンポーネント（３２）が磁化可能要素（３５）を備え、前記電磁石（１４、２２）および前記磁化可能要素（３５）が前記可動家具部分（５）の閉鎖位置で対向して配置され、その結果、前記接点セット（１６、１７、２３、２４）が、前記制御回路（３６）による前記電磁石（１４、２２）の励磁によって互いに接触することができること
を特徴とする、装置。
【請求項２】
前記位置検出装置（２５、３４）がライトバリア様装置として配置され、前記ピックアップコンポーネント（３２）は、前記ライトバリア様装置によって画定された光路が遮断されるように前記可動家具部分（５）の閉鎖位置に位置することを特徴とする、請求項１に記載の装置。
【請求項３】
前記ライトバリア様装置によって画定された前記光路を遮断するために、リム（１５）が前記ピックアップコンポーネント（３２）上に設けられることを特徴とする、請求項２に記載の装置。
【請求項４】
前記磁化可能要素（３５）が前記ピックアップコンポーネント（３２）の前記接点セット（１６、１７）上に配置され、前記ピックアップコンポーネント（３２）上の前記接点セット（１６、１７）が前記給電コンポーネント（３３）の前記接点セット（２３、２４）の方向に移動可能なように配置されることを特徴とする、請求項１〜３の一項に記載の装置。
【請求項５】
前記給電コンポーネント（３３）が前記家具本体（３１）上に配置されたハウジング（１２）を備え、前記ピックアップコンポーネント（３２）が前記可動家具部分（５）上に配置された固定要素（１３）を備えることを特徴とする、請求項１〜４の一項に記載の装置。
【請求項６】
前記給電コンポーネント（３３）の前記ハウジング（１２）上に凹部（２８、２９）が設けられ、前記給電コンポーネント（３３）の前記接点セット（２３、２４）が前記凹部（２８、２９）の前記ハウジングの内側に配置され、前記ピックアップコンポーネント（３２）の接点セット（１６、１７）が、前記給電コンポーネント（３３）の前記接点セット（２３、２４）と接続するために前記凹部（２８、２９）の中へ移動されうる接触ヘッド（２６、２７）を備えることを特徴とする、請求項５に記載の装置。
【請求項７】
前記接点セット（１６、１７、２３、２４）が、互いにラッチ可能なように配置されることを特徴とする、請求項１〜６の一項に記載の装置。
【請求項８】
前記接点セット（１６、１７）がばね状延長部を備えることを特徴とする、請求項１〜７の一項に記載の装置。
【請求項９】
前記接点セット（１６、１７、２３、２４）の前記ラッチングが、前記電磁石（１４、２２）を励磁することによって解除されうることを特徴とする、請求項７または８に記載の装置。
【請求項１０】
前記接点セット（１６、１７、２３、２４）の前記ラッチングが、双安定リレーの方式で前記電磁石（１４、２２）を励磁することによって解除されうることを特徴とする、請求項９に記載の装置。
【請求項１１】
前記電気制御回路（３６）が遅延ユニットを備え、前記遅延ユニットは、前記電磁石（１４、２２）のエネルギー供給が前記位置検出装置（２５、３４）の信号に続いて時間遅延で行われるようにオンオフされることを特徴とする、請求項１〜１０の一項に記載の装置。
【請求項１２】
家具本体（３１）と、前記家具本体（３１）に対して移動可能な少なくとも１つの家具部分または複数の家具部分（５）、特に前記家具本体に対して変位可能な１つまたは複数の引出しとを備える家具において、請求項１〜１１の一項に記載の電気エネルギーを伝送するための装置（１）を備えることを特徴とする家具。
【発明の詳細な説明】
【技術分野】
【０００１】
本発明は、請求項１の前文に記載の、家具本体上に配置された給電コンポーネントと家具本体に対して移動可能な家具部分との間で電気エネルギーを伝送するための装置、および、請求項１２の前文に記載の家具に関する。
【背景技術】
【０００２】
この種の装置および家具は公知である。家具本体に対して移動可能な家具部分の中に照明などの電気装置を備える複数の家具の場合、家具本体と可動家具部分との間に十分な長さの電気線路を備える一般的な装置が使用される。これは、家具の使用を強く限定し、家具の耐用年数期間にわたってケーブルが切断する可能性があるため、機能不全につながる可能性がある。さらに、公知の自動後退機能および可動家具部分を押し出すための電気駆動装置は、そのような線路があるため限度内でしか機能できない。
【０００３】
過去には、エネルギーおよびデータの伝送が無接点の誘導伝送路によって利用されていた。しかし、これらのシステムには、伝送路は高損失で動作するだけで、ごく少量の電力しか伝送することができないという欠点がある。
【発明の概要】
【発明が解決しようとする課題】
【０００４】
本発明の目的は、相互に移動可能な家具部分の間で電気エネルギーを伝送するための装置において、それを用いて十分な量のエネルギーを伝送することができ、かつかかる家具の機能性が限定されないようにする装置を提供することである。
【課題を解決するための手段】
【０００５】
この目的は、本発明により請求項１の主題および請求項１２の主題によって達成される。
【０００６】
請求項１を特徴づける構成によれば、この装置は、電気制御回路に接続された位置検出装置と電気制御回路によって制御されうる電磁石とを有する給電コンポーネント、ならびに磁気要素を含むピックアップコンポーネントを備え、電磁石および磁気要素は可動家具部分の閉鎖位置で対向し、その結果、接点セットは制御回路による電磁石の励磁によって互いに接触することができる。
【０００７】
これにより、電気エネルギーは、家具本体とこの家具本体に対して移動可能な家具部分との間で機械的に作用する接点を介して確実に伝送することができ、このエネルギーは、可動家具部分に導入される電気装置を作動させるのに十分である。伝送できるエネルギーは、実質的に接点の構成によってのみ限定される。さらに、このエネルギーは、電磁現象によって前記接点に悪影響を及ぼすのとは無関係であり、逆に周囲環境においてそのような悪影響を引き起こすことはほとんどない。さらに、家具本体と可動家具部分との間の電気線路による固定された接続は必要なく、したがって、機械的自動後退装置、制動装置、および／または取り出し装置の機能は妨げられない。さらに、この場合、例えば接点を摺動させた場合に起こるノイズの望ましくない発生は回避される。前記装置も家具部分に組み込まれうることはさらに有利である。
【０００８】
他の有利な発展形態が従属請求項の主題である。
【０００９】
可動家具部分の位置の簡単かつ信頼性のある検出が、オプトカプラ（ｏｐｔｏｃｏｕｐｌｅｒ）の原理に従ってライトバリアのように配置された装置の形をとる位置検出装置によって可能になる。
【００１０】
特別な一実施形態では、磁気要素はピックアップコンポーネントの接点セット上に配置され、ピックアップコンポーネント上の接点セットは給電コンポーネントの接点セットの方向に移動可能に配置される。これにより、可動家具部分上に配置されたピックアップコンポーネントは、可動家具部分が既に可動家具部分の閉鎖位置に到達したときに、可動家具部分の所定の最終位置だけを除く可動家具部分の閉鎖位置で、給電コンポーネントと接触しないことが確実になる。
【００１１】
好ましくは、ピックアップコンポーネントの接点セットは、電磁石の電源を切るために、機械的にロックされる要素によって給電コンポーネントの接点セットとともにラッチ（掛止）する。その結果、磁気装置の供給電圧は、引出しを引っ込めたり取り出したりする時間的段階でしか必要とされない。
【００１２】
特別な一実施形態によれば、電気制御回路は、電磁石の電力供給が位置検出装置の信号に続いて時間遅延で行われるようにオンオフされる遅延ユニットを備える。これにより、可動家具部分の自動引き込み装置は、例えば可動家具部分の電力供給が行われる前に、ブレーキのかからない態様で所要の最終位置に確実に到達することが確実になる。さらに、接点の消耗および摩損の増大につながる遮断火花（ｂｒｅａｋ  ｓｐａｒｋｓ）の形成は、電力供給を遅らせることによって最小限に抑えられる。
【００１３】
それと同様に、遅延ユニットが引出しを引抜き方向に動かす間に作動することもできる。
【００１４】
好ましい一実施形態では、リレーは双安定方式に構成され、励磁量（ｅｎｅｒｇｉｚｉｎｇ  ｑｕａｎｔｉｔｙ）を除いた後でも到達したスイッチング状態のままである。別の励磁プロセスが初期状態に戻ることを確実にする。
【００１５】
接点の特別な構成は、それらの接点が、指定の距離を超えて弾性的に変形させられうるばね状延長部を備えるという点で、別の実施形態として考慮することもできる。ばね動程は最初に引出しを開閉した後で利用され、電気接点は消磁後または励磁後にのみ接続を開閉する。
【００１６】
家具本体の側面に給電コンポーネントを、可動家具部分の側面にピックアップコンポーネントを固定することも明らかに可能である。
【００１７】
本発明について、図面に示されている諸実施形態を参照して以下により詳細に説明する。
【図面の簡単な説明】
【００１８】
【図１】家具本体から引き出されている可動家具部分と給電コンポーネントおよびその上に配置されるピックアップコンポーネントとを有する家具の斜視図である。
【図２】接続状態にある給電コンポーネントおよびピックアップコンポーネントの斜視詳細図である。
【図３】接続状態にある給電コンポーネントおよびピックアップコンポーネントの斜視詳細図である。
【図４】分離状態にある給電コンポーネントおよびピックアップコンポーネントの斜視詳細図である。
【図５】分離状態にある給電コンポーネントおよびピックアップコンポーネントの斜視詳細図である。
【図６】閉鎖位置に位置する可動家具部分を有する図１の家具の斜視図である。
【図７】図６の家具の上面図である。
【図８】双安定リレーの動作原理を示すブロック図である。
【発明を実施するための形態】
【００１９】
図面に沿っての以下の説明では、上部（ｔｏｐ）、底部（ｂｏｔｔｏｍ）、左（ｌｅｆｔ）、右（ｒｉｇｈｔ）、前部（ｆｒｏｎｔ）、後部（ｂａｃｋ）などの用語は、それぞれの図面において選択されている装置および他の物体の例示的な説明および位置にもっぱら関する。これらの用語は限定的なものとして理解されるべきではなく、これらの参照が種々の作動位置や鏡面対称構成などによって変わりうることを意味する。
【００２０】
図１、図６および図７は、家具本体３１と様々な作動位置にある家具部分５とを有する家具１を示し、家具部分５は、家具本体３１に対して移動可能であり、可動家具部分５は、図示した特別な実施形態では、引出しの前面パネル９、底部１０、および２つの側壁６、７を有する引き出し可能かつ引き込み可能な引出しとして配置される。
【００２１】
家具本体３１には２つの側壁２および３の間に配置された後壁４上に給電コンポーネント３３が固定され、給電コンポーネント３３は、引出しとして配置された可動家具部分５の後壁８に固定されているピックアップコンポーネント３２と組み合わせて、電気エネルギーを伝送するための装置１１を形成する。ピックアップコンポーネント３２には電気ケーブル２０が接続され、電気ケーブル２０は、ピックアップコンポーネント３２から可動家具部分５内に配置された電気作動装置に電気エネルギーを伝える。
【００２２】
給電コンポーネント３３およびピックアップコンポーネント３２は、図２から図５により詳細に示されている。
【００２３】
給電コンポーネント３３は、図示した実施形態では、４つの側面に取り囲まれたチャンバ３７とチャンバ３７の延長側壁から垂直に突出する壁３８とを含む、略Ｇ字形のハウジング１２を備える。壁３８に対向するチャンバの側壁上に２つの接触部品２３、２４が配置されることが好ましく、接触部品２３、２４は電気ケーブル１８に接続され、この電気ケーブル１８を通じて電気エネルギーが供給される。２つの接触部品２３、２４を電気ケーブル１８に接続するために、電気ケーブル１８には２本のコード２１が設けられる。給電コンポーネント３３の接触部品２３、２４は、チャンバ３７の内側の凹部２８、２９の中に配置されることが好ましい。
【００２４】
磁化可能なコイルコア２２を有する電磁石のコイル１４がハウジング１２のチャンバ３７内に配置され、コイルコア２２はチャンバ３７の側壁内のハウジング開口を通って突出する。コイルコア２２用のハウジング開口は、給電コンポーネント３３の接触部品２３、２４と同じチャンバ側面に配置される。
【００２５】
ピックアップコンポーネント３２は、好ましくは平坦な固定要素１３を実質的に備え、ピックアップコンポーネント３２は固定要素１３によって可動家具部分５に固定される。リム１５が、可動家具部分５から外方を向く固定要素１３の側面から垂直に突出する。ピックアップコンポーネント３２の接触部品１６、１７は、リム１５上に弾性的に配置されることが好ましい。
【００２６】
平坦な構成の要素３５が２つの接触コンポーネント１６、１７上に配置されることが好ましく、要素３５は、可動家具部分５の閉鎖位置でコイル１４のコイルコア２２に対向し、コイル１４が起動されるとコイル１４によって吸引される。
【００２７】
ピックアップコンポーネント３２の接触要素１６、１７の上端部は接触ヘッド２６、２７として配置される。接触ヘッド２６、２７は好ましくはＵ字形に曲げられており、したがって、ピックアップコンポーネント３２の接触要素１６、１７上に配置された平坦な磁化可能要素３５がコイルコア２２によって吸引されコイル１４によって磁化されるとすぐに、接触ヘッド２６、２７はＵ字の閉側が給電コンポーネント３３のハウジング１２の凹部２８、２９に入る。
【００２８】
接触部品２３、２４は、可動家具部分５が閉鎖位置に位置したときに、可動家具部分５上に配置されたピックアップコンポーネント３２の接触部品１６、１７との電気的接続が生じうるように配置される。
【００２９】
給電コンポーネント３３にはさらに、電気制御回路３６と電気制御回路３６に接続された位置検出装置２５、３４とが設けられ、制御回路３６はコイル１４およびコイルコア２２からなる電磁石にも接続される。
【００３０】
位置検出装置２５、３４は、好ましくはライトバリアの態様をとる装置（ライトバリア様装置）として配置され、トランスミッタダイオード（ｔｒａｎｓｍｉｔｔｅｒ  ｄｉｏｄｅ）２５がハウジングチャンバ３７の側面に一体化され、ハウジングチャンバ３７の側面には凹部も設けられ、コア１４のコイルコア２２は凹部を通って突出し、トランスミッタダイオード２５はハウジングの壁３８上のレシーバダイオード（ｒｅｃｅｉｖｅｒ  ｄｉｏｄｅ）３４に対向して配置される。
【００３１】
上記ライトバリアを遮るためにリム１５がピックアップコンポーネント３２上に設けられ、リム１５は、可動家具部分５が家具本体３１の中へ引っ込められる間にトランスミッタダイオード２５とレシーバダイオード３４との間のハウジング１２の除去部分に入り、それによってライトバリア様装置の光ビームを遮る。この場合、ハウジング内の除去部分は、ハウジングの壁３８とチャンバ３７との間隙として理解されるべきである。ライトバリア様装置として配置された位置検出装置は、制御回路３６がこの遮断を認識し、その後すぐにコイル１４の電気供給をトリガするように、制御回路３６に接続される。
【００３２】
好ましくは、この電圧供給は短い時間遅延で行うことができ、したがって、給電コンポーネント３３がピックアップコンポーネント３２と電気的に接触する前に、引出しシステムの自動引き込み装置が確実にブレーキのかからない態様で所要の最終位置に到達することができる。
【００３３】
コイルコア２２はコイル１４の電磁効果によって磁化され、磁気要素３５を吸引することになる。磁石装置２２、３５の接続の結果、ピックアップコンポーネント３２の接点セット１６、１７は、給電コンポーネント３３の接点セット２３、２４の方向に引き込まれ、給電コンポーネント３３の接点セット２３、２４と接触する。これにより、可動家具部分５は、家具本体３１において給電コンポーネント３３内に配置されており電気ケーブル１８を介して電気エネルギーが供給される接点セット２３、２４を介して、エネルギーを供給されることが可能になる。コイル１４および制御回路３６の電圧供給は、別個の電気ケーブル１８を介して行われることが好ましい。
【００３４】
コイル１４の供給電圧を除いた後、接点セット１６、１７は元の位置に戻る。このプロセスでは、接点セット１６、１７、２３、２４の間の電気的接続は再び遮断される。
【００３５】
特別な一実施形態では、接点セット１６、１７、２３、２４は互いに機械的にラッチ可能なように配置される。それによって、コイル１４は、磁石装置２２、３５の吸引後に接点セット１６、１７、２３、２４の間の電気的接続を遮断することなく消磁されうる。機械的ラッチングは、可動家具部分５が例えば「開」方向に作動されることで再び解除される。あるいは、機械的ラッチングを外すための「閉」方向の短ストロークが生じうる。別の代替実施形態では、このラッチングは、コイル１４の新たな励磁によって逆方向にすることができる。
【００３６】
図８に示されているように、これは双安定リレーの方式で可能である。引き外しユニットは、引っ込められた引出しの最終位置を検出する。正の信号フランクの検出は、プリセット時間後に出力に単極性パルスを与える信号時間遅延をトリガする。
【符号の説明】
【００３７】
１  家具
２  側壁
３  側壁
４  後壁
５  可動家具部分
６  引出しの側壁
７  引出しの側壁
８  後壁
９  前面パネル
１０  底部
１１  電気エネルギーを伝送するための装置
１２  ハウジング
１３  固定要素
１４  コイル
１５  リム
１６  接触部品
１７  接触部品
１８  電気ケーブル
１９  電気ケーブル
２０  電気ケーブル
２１  フォーキング
２２  コイルコア
２３  接触部品
２４  接触部品
２５  トランスミッタダイオード
２６  接触ヘッド
２７  接触ヘッド
２８  凹部
２９  凹部
３１  家具本体
３２  ピックアップコンポーネント
３３  給電コンポーネント
３４  レシーバダイオード
３５  平坦な金属要素
３６  制御回路
３７  チャンバ
３８  壁
【図１】
2012528615.tif 000003
【図２】
2012528615.tif 000004
【図３】
2012528615.tif 000005
【図４】
2012528615.tif 000006
【図５】
2012528615.tif 000007
【図６】
2012528615.tif 000008
【図７】
2012528615.tif 000009
【図８】
2012528615.tif 000010
【国際調査報告】
2012528615.tif 000011
2012528615.tif 000012
2012528615.tif 000013
2012528615.tif 000014